(57)【要約】【目的】簡単に容器注ぎ口を開封することができかつ不細工な不要な破断部分の無い良好な開封断面を得ることができる開封装置およびその包装容器を提供することを目的とする。【構成】プルタブ５で覆われかつ内側フィルムで保護された注ぎ口を頂部に有する飲料容器用の開封装置９であって、その頂部の外縁とその注ぎ口の一縁との間に設けられるリップ３と、その注ぎ口の一縁であってプルタブ上にシールされるハンドル７と、そのリップと一体的に成形され、その注ぎ口の残りの縁を実質的に囲むサポート６とからなり、その容器の開封時に、そのハンドル一端の上昇により他端の突起８がそのプルタブの一部を破断して開封開始点を形成することを特徴とする。【選択図】　　　　図１
2004018042.tif 000002
【特許請求の範囲】
【請求項１】
プルタブで覆われかつ内側フィルムで保護された注ぎ口を頂部に有する飲料容器用の開封装置であって、
該頂部の外縁と該注ぎ口の一縁との間に設けられるリップと、
該注ぎ口の一縁であってプルタブ上にシールされるハンドルと、
該リップと一体的に成形され、該注ぎ口の残りの縁を実質的に囲むサポートとからなり、該容器の開封時に、該ハンドル一端の上昇により他端が該プルタブ及び該内側フィルムの一部を破断して開封開始点を形成することを特徴とする開封装置。
【請求項２】
プルタブで覆われかつ内側フィルムで保護された注ぎ口と該注ぎ口を開封する開封装置とを頂部に有する飲料容器であって、該開封装置が
該頂部の外縁と該注ぎ口の一縁との間に設けられるリップと、
該注ぎ口の一縁であってプルタブ上にシールされるハンドルと、
該リップと一体的に成形され、該注ぎ口の残りの縁を実質的に囲むサポートとからなり、該容器の開封時に、該ハンドル一端の上昇により他端が該プルタブ及び該内側フィルムの一部を破断して開封開始点を形成することを特徴とする包装容器。
【発明の詳細な説明】
【０００１】
【発明の属する技術分野】
本発明は、飲料容器頂部に設けられプルタブで覆われた注ぎ口を開封する開封装置および包装容器に関する。
【０００２】
【従来の技術】
飲料容器頂部にリップが設けられ、注ぎ口を覆うプルタブを開封する包装容器は、例えば、国際公開　ＷＯ　００／４８９１４号公報に記載されたものが知られている。図４に、その容器の構造が示されており、飲料容器１の頂部２に設けられたリップ３、注ぎ口４を覆うプルタブ５が構成されている。
【０００３】
【発明が解決しようとする課題】
その飲料容器頂部に設けられプルタブで覆われかつ内側フィルムで保護された注ぎ口を開封する開封装置およびその包装容器においては、易しい開封性能、綺麗な開封断面が要求されている。本発明は、簡単に容器注ぎ口を開封することができかつ不細工な不要な破断部分の無い良好な開封断面を得ることができる開封装置およびその包装容器を提供することを目的とする。
【０００４】
【課題を解決するための手段】
この課題を解決するために本発明は、容器注ぎ口を開封しようとするとき、開封操作と連動してプルタブ及び内側フィルムの一部に開封開始点を形成し、その開封開始点から更に開封が進むように構成したものである。
【０００５】
これにより、易しい開封性能、綺麗な開封断面が得られる。
【０００６】
【発明の実施の形態】
本発明の請求項１に記載の発明は、プルタブで覆われかつ内側フィルムで保護された注ぎ口を頂部に有する飲料容器用の開封装置であって、
その頂部の外縁とその注ぎ口の一縁との間に設けられるリップと、
その注ぎ口の一縁であってプルタブ上にシールされるハンドルと、
そのリップと一体的に成形され、その注ぎ口の残りの縁を実質的に囲むサポートと
からなり、その容器の開封時に、そのハンドル一端の上昇により他端がそのプルタブ及び内側フィルムの一部を破断して開封開始点を形成することを特徴とする開封装置である。
【０００７】
請求項２に記載の発明は、プルタブで覆われかつ内側フィルムで保護された注ぎ口とその注ぎ口を開封する開封装置とを頂部に有する飲料容器であって、その開封装置が
その頂部の外縁とその注ぎ口の一縁との間に設けられるリップと、
その注ぎ口の一縁であってプルタブ上にシールされるハンドルと、
そのリップと一体的に成形され、その注ぎ口の残りの縁を実質的に囲むサポートと
からなり、その容器の開封時に、そのハンドル一端の上昇により他端がそのプルタブ及び内側フィルムの一部を破断して開封開始点を形成することを特徴とする包装容器である。
【０００８】
頂部の外縁の近傍に設けられるリップが、消費者が充填飲料を飲む際に、消費者の唇が接触する位置を容易に示して飲用を補助し、注ぎ口の一縁のプルタブ上にシールされるハンドルが、プルタブを開封時に剥がす際に、消費者の把持を容易にしプルタブを実質的に一直線状に剥がして容易な開封性能及び綺麗な開封破断面を可能にし、リップと一体的に成形され注ぎ口の残りの縁を実質的に囲むサポートが、ハンドルによるプルタブの剥離動作の方向を示唆／調整し、ハンドル一端の上昇によりそのハンドルが他端がそのプルタブ及び内側フィルムの一部を破断して開封開始点を形成するので、破断力がその開始点に集中して迅速な内側フィルム破断とシャープな破断面とを可能にすることができるという作用を有する。
以下、本発明の実施の形態について、図１から図３を用いて説明する。
【０００９】
（実施の形態１）
図１は、この発明の一実施の形態である開封装置及びその開封装置を備えた容器一部を示している。図１において、プルタブ５で覆われた注ぎ口（図示せず）とその注ぎ口を開封する開封装置９とを頂部２に有する飲料容器１であって、その開封装置９がその頂部２の外縁とその注ぎ口の一縁との間に設けられるリップ３と、その注ぎ口の一縁であってプルタブ上にシールされるハンドル７と、そのリップと一体的に成形され、その注ぎ口の残りの縁を実質的に囲むサポート６とからなり、その容器の開封時に、そのハンドル一端の上昇により他端の突起８がそのプルタブ５及び内側フィルムの一部を破断して開封開始点を形成する。
【００１０】
この実施の形態において、開封装置９は、一体的にプラスチック成形され、リップ３とサポート６とは略Ｕ字形状を有し、ハンドル７は注ぎ口の一縁であってプルタブ上にシールされかつ弱め線を介してリップ３と一体化されている。開封時にその弱め線で切断して開封操作を行う。
【００１１】
次いで、本発明の開封装置を包装容器に設ける方法の一形態を、図２を参照して示す。
この形態において、飲料容器１の頂部２に、注ぎ口４が形成され、その上をプルタブ５で覆われ、内側からポリエチレンなどの内側フィルムで全面若しくは部分的に積層されている。この形態では、注ぎ口断面を保護する為に内側からポリエチレンフィルム（層）などがプルタブと積層されている。
開封装置９は、リップ３、サポート６、ハンドル７及びハンドル一端の突起８とからなる。図２に示す様に、容器１との接合は、プルタブ外のシール部分１０に開封装置９のリップとサポートとを接合し、ハンドル７をプルタブ上のシール部分１０ａに接合して行う。
【００１２】
次いで、本発明の開封装置で包装容器を開封する方法の一形態を、図３を参照して示す。
プルタブで覆われた注ぎ口とその注ぎ口を開封する開封装置９とを頂部に有する飲料容器１を開封する。その容器の開封時に、そのハンドル一端を把持し、引き上げる。
この上昇により他端の突起８がプルタブ側に降下し、プルタブ５および内側フィルムの一部を破断する。この破断により内側フィルム破断の開封開始点を形成する。
すべて注ぎ口を開口させるためには、更に、ハンドル７を図３に示す方向に引っ張る。この操作により、プルタブは概ね破れずにそのまま剥離され、内側フィルムは破断の開封開始点から、注ぎ口の縁に沿ってプルタブと内側フィルム（層）との接合又はその近傍で破断される。
【００１３】
上記形態における容器形状の他、この発明における包装容器は、例えば、ブリック状（平行６面体）の他、６角柱状、８角柱状、四面体形状などがある。
【００１４】
【発明の効果】
以上のように本発明によれば、以下の有利な効果が得られる。
頂部の外縁の近傍に設けられるリップが、消費者が充填飲料を飲む際に、消費者の唇が接触する位置を容易に示して飲用を補助することができる。
注ぎ口の一縁のプルタブ上にシールされるハンドルが、プルタブを開封時に剥がす際に、消費者の把持を容易にしプルタブを実質的に一直線状に剥がして容易な開封性能及び綺麗な開封破断面を可能にする。
【００１５】
リップと一体的に成形され注ぎ口の残りの縁を実質的に囲むサポートが、ハンドルによるプルタブの剥離動作の方向を示唆／調整する。
ハンドル一端の上昇によりそのハンドルが他端がそのプルタブ及び内側フィルムの一部を破断して内側フィルムの破断開始点を形成し、破断力がその開始点に集中して迅速な内側フィルム破断とシャープな破断面とを可能にする。
【図面の簡単な説明】
【図１】本発明の一実施の形態による飲用容器を示す斜視図
【図２】本発明の一実施の形態による容器の製造方法を示す斜視図
【図３】本発明の一実施の形態による容器の開封方法を示す斜視図
【図４】従来の容器を示す斜視図
【符号の説明】
１　・・・容器
２　・・・頂部
３　・・・リップ
４　・・・注ぎ口
５　・・・プルタブ
７　・・・ハンドル
８　・・・突起
９　・・・開封装置
【図１】
2004018042.tif 000003
【図２】
2004018042.tif 000004
【図３】
2004018042.tif 000005
【図４】
2004018042.tif 000006